(57)【要約】【課題】小さな動力で駆動可能な固液分離システムを提供する。【解決手段】砂が混入した砂混入水を移送する揚砂ポンプ２と、揚砂ポンプ２によって移送された砂混入水が流入する流入口３４１と砂混入水から一部の液体成分が取り除かれることで砂の濃度が高まった濃縮水を排出する排出口３３１とを有する内側容器３と、濃縮水を受け入れる外側槽４とを備え、内側容器３は、流入口３４１と排出口３３１の間に、内側容器３の内周面３ａによって画定された内部空間Ｓ１の断面積が流入口３４１側よりも排出口３３１側の方が減少した絞り部３２を有するものであり、外側槽４は、内側容器３の外周側面３ｂよりも外側に配置されて排出口３３１よりも上方に延びた側壁４１を備えたものである。【選択図】図１
2020203229.tif 000002
【特許請求の範囲】
【請求項１】
固体が混入した固体混入水を移送するポンプと、
前記ポンプによって移送された前記固体混入水が流入する流入口と、該固体混入水から一部の液体成分が取り除かれることで固体の濃度が高まった濃縮水を排出する排出口とを有する内側容器と、
前記濃縮水を受け入れる外側槽とを備え、
前記内側容器は、前記流入口と前記排出口の間に、該内側容器の内周面によって画定された内部空間の断面積が該流入口側よりも該排出口側の方が減少した絞り部を有するものであり、
前記外側槽は、前記内側容器の外周側面よりも外側に配置されて前記排出口よりも上方に延びた側壁を備えたものであることを特徴とする固液分離システム。
【請求項２】
前記内側容器は、前記内周面が円筒状をした円筒部を備えたものであり、
前記流入口は、該円筒部に設けられて前記固体混入水を該円筒部の接線方向から導入するものであり、
前記絞り部は、逆円錐状をしたものであることを特徴とする請求項１記載の固液分離システム。
【請求項３】
前記外側槽は、前記排出口よりも上方に、該排出口から排出された前記濃縮水の上澄み液を該外側槽の外部に排出するオーバーフロー口が設けられたものであることを特徴とする請求項１または２記載の固液分離システム。
【請求項４】
前記液体成分が前記内側容器の外部に送り出される送出口を一端に有し、該一端が該内側容器に接続された送出管を備え、
前記送出口は、前記流入口の断面積以上の断面積のものであることを特徴とする請求項１〜３のうちいずれか１項記載の固液分離システム。
【請求項５】
前記外側槽に接続され、該外側槽が受け入れた前記濃縮水に含まれている固体を該外側槽の外部に搬出する搬出装置を備えていることを特徴とする請求項１〜４のうちいずれか１項記載の固液分離システム。
【発明の詳細な説明】
【技術分野】
【０００１】
本発明は、固体が混入した固体混入水から液体を分離する固液分離システムに関する。
【背景技術】
【０００２】
下水処理施設には、汚水から砂を除去するための沈砂池や汚水から汚泥を除去するための沈殿池が設けられている。沈砂池では、受け入れた汚水に含まれている砂を池底の集砂ピットに集めた後、固液分離システムによって砂と汚水とに分離している。沈砂池に設けられた固液分離システムでは、集砂ピットに集められた砂を汚水とともに揚砂ポンプによって沈砂池よりも上方に移送し、移送された砂と汚水の混合水から汚水を分離して沈砂池に戻している。また、沈殿池は、受け入れた汚水に含まれている汚泥を池底の汚泥ピットに集めた後、固液分離システムによって砂と汚泥とに分離している。この沈殿池に設けられた固液分離システムにおいても、汚泥ピットに集められた汚泥を汚水とともに汚泥ポンプによって沈殿池よりも上方に移送し、移送された汚泥と汚水の混合水から汚水を分離して沈殿池に戻している。さらに、下水処理施設以外においても、固体が混入した液体を固液分離システムによって固体と液体とを分離することが行われている。例えば、工場排水から水と金属粉等とを分離する固液分離システムや、ダム湖等の貯水池に流入した土砂等を水と分離する固液分離システムなどがある。以下、汚水等に含まれている砂や汚泥やし渣、工業排水に含まれている金属粉、あるいは貯水池に水とともに流入する土砂等を総称して固体と称することがある。また、固体が混入した液体を固体混入水と称することがある。
【０００３】
この固液分離システムとして、分離装置本体と、その分離装置本体よりも上方に配置された分離容器とを備えたものが知られている（例えば、特許文献１等参照）。分離容器は、揚砂管によって揚砂ポンプと接続されている。揚砂ポンプによって沈砂池から移送された固体混入水は、分離容器に形成された流入口から分離容器内に流入する。分離容器では、固体混入水から一部の液体成分が取り除かれる。一部の液体成分が取り除かれることで固体の濃度が高まった濃縮水は分離容器に形成された排出口から分離装置本体に排出される。分離容器において固体混入水から取り除かれた液体成分は、送出管の一端から送出管内に送り出されて沈砂池に戻される。分離装置本体には、搬出装置が設けられており、濃縮水に含まれている固体は、搬出装置によって水切りされつつ分離装置本体の外部に搬出される。分離容器の流入口と排出口の間には絞り部が形成されている。従来は、この絞り部における絞り量を大きくし、分離容器に流入してくる固体混入水よりも排出口から排出される濃縮水の量を極めて少なくすることで、固体混入水の液体成分を送出管に送り出していた。しかし、絞り量を大きくすると分離容器で生じる圧力損失が大きくなってしまう。特許文献１の固液分離システムは、送出管の他端を沈砂池の池底近傍に配置し、送出管内を汚水で満たしておくことで、サイフォンの原理により分離容器内の固体混入水に沈砂池に流れ出ようとする作用を生じさせている。そして、この作用を利用して絞り部による圧力損失を低減することで、固液分離システムを小さな動力で駆動しようとしている。
【先行技術文献】
【特許文献】
【０００４】
【特許文献１】特開２０１２−２１４８３号公報
【発明の概要】
【発明が解決しようとする課題】
【０００５】
特許文献１に開示された固液分離システムは、サイフォンの原理による作用を維持するために、池底まで延在した長い送出管を用いて送出管内を液体で満たしている。また、一旦送出管内の液体が抜き取られた後、再度送出管の内部に液体を充填させることができるように分離装置本体と分離容器の間等に弁を設ける必要がある。これらため、固液分離システムが高額化してしまうという問題がある。また、送出管内の液体を抜くたびに、弁の開閉を制御する必要が生じてしまい作業が煩雑になるという問題があった。このため、小さな動力で駆動可能な他の構成が望まれていた。
【０００６】
本発明は上記事情に鑑み、小さな動力で駆動可能な固液分離システムを提供することを目的とする。
【課題を解決するための手段】
【０００７】
上記目的を解決する本発明の固液分離システムは、固体が混入した固体混入水を移送するポンプと、
前記ポンプによって移送された前記固体混入水が流入する流入口と、該固体混入水から一部の液体成分が取り除かれることで固体の濃度が高まった濃縮水を排出する排出口とを有する内側容器と、
前記濃縮水を受け入れる外側槽とを備え、
前記内側容器は、前記流入口と前記排出口の間に、該内側容器の内周面によって画定された内部空間の断面積が該流入口側よりも該排出口側の方が減少した絞り部を有するものであり、
前記外側槽は、前記内側容器の外周側面よりも外側に配置されて前記排出口よりも上方に延びた側壁を備えたものであることを特徴とする。
【０００８】
この固液分離システムによれば、前記側壁が前記排出口よりも上方に延びているので、前記外側槽に貯留された液体によって該排出口が塞がれ、該外側槽内に貯留された液体の水圧が該排出口に生じる。この水圧と前記絞り部によって、前記濃縮水が前記排出口からより排出されにくくなるので、固体混入水から取り除かれる液体成分を増加させ、濃縮水における固体の濃度を高めることができる。また、上述した水圧が生じるので、前記絞り部における前記断面積の減少量を少なくしても、前記濃縮水が前記排出口から排出される量を抑制できる。そして、前記絞り部における前記断面積の減少量を少なくすることで、前記内側容器における圧力損失が減少するため、小さな動力でこの固液分離システムを駆動することができる。
【０００９】
ここで、前記排出口は、濃縮水によって塞がれたものであってもよい。また、前記側壁は、前記内部空間の上端よりも上方に延びたものであってもよい。こうすることで、前記外側槽に前記内部空間の上端より上方まで液体を貯留することができるようになり、前記排出口に加わる水圧をより高めることができる。水圧を高めることで、前記濃縮水が前記排出口から排出される量をより抑制し、濃縮水における固体の濃度をさらに高めることができる。さらに、前記絞り部における前記断面積の減少量を少なくして、圧力損失をより減少させることもできる。
【００１０】
この固液分離システムにおいて、前記内側容器は、前記内周面が円筒状をした円筒部を備えたものであり、
前記流入口は、該円筒部に設けられて前記固体混入水を該円筒部の接線方向から導入するものであり、
前記絞り部は、逆円錐状をしたものであってもよい。
【００１１】
こうすることで、前記円筒部内に旋回流を発生させることができる。前記固体混入水に含まれている固体は、旋回流によって生じる遠心力により前記内周面側に押し付けられつつ下方に移動しする。一方、液体成分は、前記円筒部では旋回しつつ下方に移動し、逆円錐状の前記絞り部では液体成分の多くが上方に反転して前記内側容器の径方向の中心部分に集まる。これにより、固体と液体の分離性能が高まる。この液体成分を送出するための送出口が、前記内側容器の径方向の中心に配置されていてもよい。
【００１２】
また、この固液分離システムにおいて、前記外側槽は、前記排出口よりも上方に、該排出口から排出された前記濃縮水の上澄み液を該外側槽の外部に排出するオーバーフロー口が設けられたものであってもよい。
【００１３】
こうすることで、前記外側槽に貯留された液体によって前記排出口を確実に塞ぐことができるとともに、該排出口から濃縮水が所定量よりも多く排出されてしまった場合には、オーバーフロー口から前記濃縮水の上澄み液を排出することができるので、前記側壁の上端から濃縮水が溢れ出てしまうことを防止できる。
【００１４】
ここで、前記オーバーフロー口は、前記内部空間の上端よりも上方に形成されていてもよい。このように形成することで、前記内部空間より上の高さまで前記外側槽内に液体を素早く貯留することができるようになる。
【００１５】
さらに、この固液分離システムにおいて、前記液体成分が前記内側容器の外部に送り出される送出口を一端に有し、該一端が該内側容器に接続された送出管を備え、
前記送出口は、前記流入口の断面積以上の断面積のものであってもよい。
【００１６】
こうすることで、前記内側容器における圧力損失がより減少するため、さらに小さな動力でこの固液分離システムを駆動することができる。
【００１７】
またさらに、この固液分離システムにおいて、前記外側槽に接続され、該外側槽が受け入れた前記濃縮水に含まれている固体を該外側槽の外部に搬出する搬出装置を備えた態様にしてもよい。
【００１８】
特許文献１に開示された固液分離システムでは、分離容器の下方に離間して、分離槽とスクリューコンベアを有する分離装置本体を設けているため、分離容器と分離装置本体の合計高さが高くなってしまう。上述した本発明の態様では、前記外側槽に前記搬出装置が接続されることで、該搬出装置が接続された該外側槽が特許文献１における分離装置本体として機能する。また、前記内側容器が特許文献１における分離容器として機能する。そして、前記外側槽と前記内側容器とが高さ方向において重複した位置に配置されているので、固液分離システム全体の高さを低くできる。また、前記内側容器を地上に近い位置に配置できるので、前記ポンプに必要な揚程が低くなり、小さな動力で固体混入水を該内側容器に流入させることができる。
【発明の効果】
【００１９】
本発明によれば、小さな動力で駆動可能な固液分離システムを提供することができる。
【図面の簡単な説明】
【００２０】
【図１】本発明の一実施形態に相当する固液分離システムを示す概略構成図である。
【図２】（ａ）は、内側容器の平面図であり、（ｂ）は、同図（ａ）におけるＡ−Ａ断面図である。
【図３】（ａ）は、内側容器と外側槽を示す平面図であり、（ｂ）は、内側容器と外側槽を示す正面図であり、（ｃ）は、同図（ｂ）におけるＢ−Ｂ断面図である。
【図４】（ａ）は、固液分離システムの変形例を示す図３（ｂ）と同様の正面図であり、（ｂ）は、同図（ａ）におけるＣ−Ｃ断面図である。
【発明を実施するための形態】
【００２１】
以下、図面を参照して本発明の実施の形態を説明する。本実施形態の説明では、沈砂池から砂が混入した汚水を移送し、移送された砂と汚水から、汚水と砂とを分離する固液分離システムに本発明を適用した例を用いる。なお、沈砂池は、下水処理施設の上流側に配置され、下水または雨水などの汚水から砂を取り除くためのものである。沈砂池において砂が取り除かれた汚水は、下流にある沈殿池などに送られる。
【００２２】
図１は、本発明の一実施形態に相当する固液分離システムを示す概略構成図である。この図１には沈砂池も示されている。
【００２３】
図１に示すように、本実施形態の沈砂池９は、ポンプ井９１と、トラフ９２と、集砂ノズル９３と、集砂ピット９４とを備えた池である。この沈砂池９には、図の右側から汚水が流れ込んでくる。流れ込んだ汚水は図の左側に向かってゆっくりと流れていく。沈砂池９では、汚水が流れていく間に、汚水に含まれている砂が池底に向かって沈降していく。ポンプ井９１は、沈砂池９の最も下流側に配置されている。ポンプ井９１は、砂が取り除かれた汚水が貯留されるものである。ポンプ井９１の内部には、揚水ポンプ９１１が設けられている。この揚水ポンプ９１１は、ポンプ井９１に貯留された汚水を沈砂池９の外部に排出するものである。揚水ポンプ９１１には揚水管９１２が接続されている。揚水ポンプ９１１によって吸引された汚水は、この揚水管９１２を通して不図示の沈殿池に送られる。なお、図１には汚水の池水面ＷＬ１も示されている。この池水面ＷＬ１の位置は、沈砂池９へ流れ込む汚水の量によって、トラフ９２の底からの高さが例えば１ｍ以上５ｍ以下の範囲で変化する。
【００２４】
トラフ９２は、ポンプ井９１よりも上流の池底であって池幅方向の中央に形成されている。このトラフ９２は、沈砂池９における汚水の流れ方向に沿って延在している。トラフ９２の池幅方向両側の池底には、トラフ９２に向かうに従って下方に傾斜した池底傾斜面９５が形成されている。沈砂池９に流れ込んだ汚水に含まれる砂は、池底に向かって沈降し、池底傾斜面９５を滑り落ちて或いは直接トラフ９２内に堆積する。
【００２５】
集砂ノズル９３は、トラフ９２の上流端に配置されている。集砂ノズル９３には、沈殿池から汲み上げられた汚水が供給される。集砂ノズル９３に供給された汚水は集砂ノズル９３の先端から沈砂池９の下流側に向かって吐出される。トラフ９２の下流端は集砂ピット９４に接続されている。トラフ９２内に堆積した砂は、集砂ノズル９３から吐出される水の流れによって集砂ピット９４に集められる。集砂ピット９４は、ポンプ井９１とトラフ９２の間に形成されている。集砂ピット９４に集められた砂は、固液分離システム１によって、固体（砂）と液体（汚水）とに分離される。
【００２６】
固液分離システム１は、揚砂ポンプ２と、内側容器３と、外側槽４と、搬出装置５と、送出管６とを備えている。揚砂ポンプ２は、集砂ピット９４の内部であって、集砂ピット９４の底近傍に配置されている。この揚砂ポンプ２は、ポンプの一例に相当する。この揚砂ポンプ２には、揚砂管２１が接続されている。揚砂ポンプ２は、集砂ピット９４の内部に集められた砂を汚水とともに吸引し、砂が混入した汚水を揚砂管２１を通して内側容器３に移送する。揚砂ポンプ２によって内側容器３に移送される砂と汚水の割合は、集砂ピット９４の内部に集められた砂の量等によって変動するが、砂５％程度に対して汚水９５％程度である。この揚砂ポンプ２によって移送された砂が固体の一例に相当し、その砂が混入した汚水は固体混入水の一例に相当する。以下、揚砂ポンプ２によって移送された、砂が混入した汚水を砂混入水と称する。
【００２７】
内側容器３と外側槽４と搬出装置５は、地上であって沈砂池９の近傍に配置されている。これら内側容器３と外側槽４と搬出装置５は、固液分離装置の一例に相当する。内側容器３は、外側槽４の槽内に配置されている。内側容器３は、移送された砂混入水のうち、液体成分の一部を送出管６に送出することで取り除き、液体成分の一部が取り除かれることで砂の濃度が高まった濃縮水を外側槽４に排出する。以下、この砂混入水から砂が取り除かれた液体成分を分離水と称する。内側容器３から送出された分離水は、送出管６を通して沈砂池９に戻される。この送出管６は、内側容器３の内に挿入された一端部分６１（図２参照）と、内側容器３よりも上方で水平に延びた水平部分と、水平部分から折れ曲がって下方に延びた垂直部分とを有している。そして、その垂直部分の下端である他端６ａは内側容器３よりも下方であって外側槽４の外部である沈砂池９の上部に配置されている。これらの内側容器３と外側槽４については後に詳述する。
【００２８】
搬出装置５は、外側槽４の下端に接続され、斜め上方に向かって延在している。この搬出装置５は、スクリューコンベア５１と投下口５２とを有する。スクリューコンベア５１は、搬出装置５内に配置されている。スクリューコンベア５１の軸方向は、搬出装置５の延在方向に一致している。外側槽４内に排出された濃縮水に含まれている砂は、外側槽４内を沈降して外側槽４の下端に集まる。外側槽４の下端に集まった砂は、スクリューコンベア５１が回転することで、水切りされながら斜め上方に搬送される。投下口５２は、スクリューコンベア５１の上端近傍に配置されている。スクリューコンベア５１によって水切りされた砂は、投下口５２から下方に向けて投下される。すなわち、搬出装置５は、外側槽４が受け入れた濃縮水に含まれている砂を外側槽４の外部に搬出するものである。なお、スクリューコンベア５１の代わりに、ベルトコンベアなどの他の搬送機構を用いてもよい。
【００２９】
図２（ａ）は、内側容器の平面図であり、図２（ｂ）は、同図（ａ）におけるＡ−Ａ断面図である。図２（ａ）および図２（ｂ）には、送出管の一端部分も示されている。
【００３０】
図２（ｂ）に示すように、内側容器３は、流体導入部３１と、絞り部３２と、排出部３３と、流体流入管３４と、一対の取付部３６とを備えている。この実施形態の内側容器３は、いわゆる流体サイクロン装置である。流体導入部３１は、内側容器３の上側部分に設けられている。絞り部３２は、その上端が流体導入部３１の下端に接続している。また、絞り部３２の下端には、排出部３３の上端が接続されている。内側容器３の内周面３ａは、流体導入部３１の内周面３１ａと絞り部３２の内周面３２ａと排出部３３の内周面３３ａによって構成されている。この内側容器３の内周面３ａによって内部空間Ｓ１が画定されている。すなわち、これらの流体導入部３１、絞り部３２、および排出部３３によって、内部空間Ｓ１を有する中空状のタンクが構成されている。
【００３１】
流体導入部３１は、内周面３１ａが円筒状をした円筒部３１１と、円筒部３１１の上端を閉塞する蓋３１２とを備えている。円筒部３１１は、板厚３．２ｍｍの鋼板を内径５００ｍｍの円筒状に加工したものである。また、蓋３１２は、板厚６．０ｍｍの鋼板を外径が５８６ｍｍで内径が１１４ｍｍの環状に加工したものである。なお、円筒部３１１および蓋３１２の形状、材質、および厚みは、内部空間Ｓ１の大きさ等に応じて適宜選択すればよい。また、円筒部３１１は、下方に向かうに従って内部空間Ｓ１の断面積が増加する、円錐状やドーム状をしたものであってもよい。さらに、円筒部３１１は、後述する流入口３４１が形成された上側部分が下方に向かうに従って内部空間Ｓ１の断面積が増加する、円錐状やドーム状をしたもので、下側部分が円筒状をしたものであってもよい。円筒部３１１の外周面には、一対の取付部３６が固定されている。この取付部３６は、内側容器３を、図１に示した外側槽４に固定するためのものである。
【００３２】
また、円筒部３１１の上側部分には、流体流入管３４が連結されている。図１に示した揚砂ポンプ２と流体流入管３４とは揚砂管２１を介して接続されている。揚砂管２１と流体流入管３４とは、接続端に設けられたフランジどうしがボルトで締結されることで着脱可能に結合されている。流体流入管３４は内径１００ｍｍの管である。図２（ｂ）に示すように、この流体流入管３４と円筒部３１１との連結部には、流入口３４１が形成されている。図２（ａ）に直線の矢印で示すように、揚砂ポンプ２が吸い上げた砂混入水は、円筒部３１１の内周面３１ａの接線方向から流入口３４１を通って内部空間Ｓ１に導入される。内部空間Ｓ１では、送出管６の一端部分６１の外周面と円筒部３１１の内周面３１ａの間に砂混入水が導入される。これにより、内部空間Ｓ１には砂混入水の旋回流が形成される。
【００３３】
絞り部３２は、流入口３４１と排出部３３の間に配置されている。この絞り部３２では、内部空間Ｓ１の断面積が排出部３３に向かうに従って減少する。換言すれば、絞り部３２は、円筒部３１１から離れるにつれて漸次縮径する逆円錐状の内周面３２ａを有している。この絞り部３２は、板厚３．２ｍｍの鋼板を円錐状に加工したものであり、上端は内径５００ｍｍ、下端は内径１００ｍｍに形成されている。なお、絞り部３２の材質や厚みは、内部空間Ｓ１の大きさや絞り量等に応じて適宜選択すればよい。また、この実施形態では、絞り部３２の下端の断面積を流入口３４１の断面積と一致させているが、絞り部３２の下端の断面積は、流入口３４１の断面積以上であってもよく、流入口３４１の断面積より小さくてもよい。ただし、絞り部３２の下端の断面積を小さくしすぎると、内側容器３における圧力損失が増大するので、流入口３４１の断面積以上であることが好ましい。さらに、絞り部３２は、円筒部３１１から離れるにつれて段階的に内部空間Ｓ１の断面積が減少するように形成されていてもよい。
【００３４】
排出部３３は、絞り部３２の、流体導入部３１が設けられた側とは反対側に接続している。すなわち、排出部３３は、絞り部３２の下端に接続している。排出部３３は、下端にフランジが形成された、絞り部３２の下端と同径の内径をした円筒状をしている。この排出部３３の下端の開口が排出口３３１になる。なお、排出部３３は省略してもよい。省略した場合、絞り部３２の下端の開口部が排出口になる。
【００３５】
送出管６の一端部分６１は、流体導入部３１の蓋３１２を上下方向に貫通している。この一端部分６１は、円筒部３１１の径方向の中心軸に沿って、蓋３１２の下端よりも下方から蓋３１２の上端よりも上方まで延在し、溶接によって蓋３１２に水密状態で結合している。従って、一端部分６１の下側部分は、内部空間Ｓ１内に突出している。ただし、一端部分６１の下側部分は、内部空間Ｓ１に突出していなくてもよく、例えば蓋３１２の下面と一端部分６１の下端は同じ平面上にあってもよい。一端部分６１は、内径１００ｍｍの管状をしている。この一端部分６１下端が、送出管６の一端になり、その一端の開口が送出口６１１になる。従って、一端部分６１および送出口６１１は、内側容器３に接続されている。また、この実施形態の送出口６１１は、内部空間Ｓ１内に配置されている。砂混入水から砂が取り除かれた液体成分である分離水は、この送出口６１１から送出管６を通して沈砂池９に戻される。送出口６１１は、流入口３４１よりも下方に配置されている。送出管６の一端部分６１以外の部分と一端部分６１とは、ボルトで締結されることで着脱可能に結合している。なお、一端部分６１の延在方向の長さは任意であり、例えば一端部分６１の下側部分（内部空間Ｓ１内にある部分）を流体導入部３１よりも長く形成してもよい。このように形成した場合、送出口６１１は、内部空間Ｓ１のうち絞り部３２の内周面３２ａによって画定されている領域に形成される。また、送出口６１１の断面積は、絞り部３２の下端の断面積と一致している例を示したが、送出口６１１の断面積は、排出口３３１の断面積以上であることが好ましい。こうすることで、送出口６１１から排出される分離水の量を増加させ、さらに内側容器３における圧力損失を低減することができる。
【００３６】
次に、この内側容器３の作用について主に図２を用いて説明する。上述したように、揚砂ポンプ２（図１参照）を駆動することで砂混入水が流入口３４１から内部空間Ｓ１に流入し、内部空間Ｓ１には砂混入水の旋回流が形成される。砂混入水に含まれている砂は、汚水よりも比重が大きいため遠心力により内側容器３の内周面３ａに押し付けられつつ、その内周面３ａに沿って旋回しながら徐々に下方に落下していく。一方、円筒部３１１の径方向の中心部分には、砂混入水から砂が取り除かれた分離水が集まる。その分離水は、送出口６１１から送出される。ただし、本実施形態の内側容器３は、流入口３４１と排出口３３１の大きさが同一であるので、流入口３４１から流入してくる砂混入水の単位時間あたりの量にもよるが、送出口６１１から送出するためには、後に詳細に説明する外側槽４が設けられている必要がある。図１に示すように、送出された分離水は、送出管６を通って送出管６の他端６ａから沈砂池９に向かって放出される。この送出管６の他端６ａは、送出管６の一端に形成された送出口６１１よりも下方に配置されているので、送出管６内が液体で満たされるとサイフォンの原理により送出口６１１から沈砂池９に流れ出ようとする力が内部空間Ｓ１にある砂混入水（分離水）に生じる。これにより、揚砂ポンプ２の動力が小さくても砂混入水を内側容器３まで移送することができるといった効果が生じる。なお、送出管６の他端６ａ側を沈砂池９の池水面ＷＬ１よりも下方まで延在させて他端６ａが水中に没するようにしてもよい。また、内側容器３と沈砂池９との間に中間槽を設置し、送出管６の他端６ａをその中間槽の内側に配置してもよい。中間槽を設けることで、分離水の状態を中間槽に溜まった分離水により確認することができる。また、分離水とともに多少の砂が送出口６１１から送出されてしまった場合でも、その砂を中間槽に沈降させることで、砂が沈砂池９に戻されてしまうことをより抑制できる。
【００３７】
図３（ａ）は、内側容器と外側槽を示す平面図であり、図３（ｂ）は、内側容器と外側槽を示す正面図であり、図３（ｃ）は、同図（ｂ）におけるＢ−Ｂ断面図である。
【００３８】
図３（ａ）および図３（ｂ）に示すように、外側槽４は、内側容器３の外周側面３ｂよりも外側に配置されて排出口３３１よりも上方に延在した側壁４１を備えている。図３（ｃ）に示すように、この実施形態では、側壁４１は、送出管６の管上端６ｃよりも上方まで延在している。内側容器３は、側壁４１の内周面に一端が固定されて内側に向かって延びた一対のアーム４２に、取付部３６がボルトで連結されることで着脱自在に外側槽４の槽内に固定されている。図３（ｂ）および図３（ｃ）に示すように、送出管６および揚砂管２１は、側壁４１を貫通している。送出管６および揚砂管２１の貫通部分は、側壁４１に溶接されており、その貫通部分は水密状態になっている。
【００３９】
外側槽４は、下側部分に２つの槽傾斜面４１ａが形成された平面視で略正方形の角筒をした槽である。外側槽４の下端は、搬出装置５の傾斜角度と同じ角度で斜め上方に向かって切り欠かれている。槽傾斜面４１ａは、外側槽４の下端から一定の高さに形成されている。この槽傾斜面４１ａの下端は、搬出装置５に接続されている。内側容器３の排出口３３１から排出された濃縮水に含まれている砂は、槽傾斜面４１ａを滑り落ちて外側槽４の下端に接続された搬出装置５に堆積する。上述したように、搬出装置５に堆積した砂はスクリューコンベア５１によって固液分離システム１の外部に排出される。図３（ｃ）に示すように、排出口３３１よりも上方であって、外側槽４の上端より少し下の部分には、オーバーフロー口４３が形成されている。このオーバーフロー口４３は、排出口３３１から濃縮水が多く排出されすぎてしまった場合に、外側槽４から濃縮水の上澄み液を流出させるものである。オーバーフロー口４３から流出した上澄み液は、オーバーフロー管７を通して沈砂池９（図１参照）に戻される。このオーバーフロー口４３を設けることで、外側槽４の側壁４１上端から濃縮水が溢れ出てしまうことを防止している。
【００４０】
次に、この外側槽４の作用について主に図３を用いて説明する。内側容器３の内部空間Ｓ１（図２参照）および外側槽４の槽内が空の状態で、図１に示す揚砂ポンプ２と搬出装置５を駆動すると、内部空間Ｓ１に砂混入水が供給され始める。そして、内部空間Ｓ１に供給された砂混入水の殆どは、排出口３３１から排出される。排出口３３１から排出された濃縮水が、外側槽４の槽内に貯留されていくことで、外側槽４に貯留された濃縮水によって形成される水面である槽水面ＷＬ２は徐々に上昇していく。槽水面ＷＬ２が排出口３３１に達すると、排出口３３１が濃縮水で閉塞されるため、排出口３３１から排出される濃縮水の量が減少する。すなわち、絞り部３２における内部空間Ｓ１の断面積の減少による抵抗と排出口３３１に加わる濃縮水の水圧が相まって、排出口３３１から濃縮水が排出されにくくなり、送出口６１１から分離水が送出され始める。槽水面ＷＬ２が上昇するにつれ、排出口３３１に加わる濃縮水の水圧が高まるため、排出口３３１から排出される濃縮水の量は減少し、送出口６１１から送出される分離水の量は増加する。また、上述したように送出管６内を液体が満たすとサイフォンの原理により送出口６１１から沈砂池９に流れ出ようとする作用が分離水に生じるので、送出口６１１から送出される分離水の量はさらに増加し、排出口３３１から排出される濃縮水の量はさらに減少する。内部空間Ｓ１に供給される砂混入水の量が、例えば、１．０ｍ３／ｍｉｎの場合には、槽水面ＷＬ２が流入口３４１（図２（ｂ）参照）よりも少し下になった時点で排出口３３１からはほぼ砂しか排出されなくなり、槽水面ＷＬ２は上昇しなくなる。図３（ｂ）および図３（ｃ）には、この時の槽水面ＷＬ２が示されている。排出された砂は、外側槽４の下端部分に堆積し、搬出装置５（図１参照）によって水切りされながら搬出されていく。なお、搬出装置５は、外側槽４の下端部分に砂がある程度堆積してから駆動を開始してもよく、間欠駆動をしてもよい。また、内部空間Ｓ１に供給される砂混入水の量を、例えば、１．５ｍ３／ｍｉｎにした場合、送出口６１１から送出される分離水の量も増加するが、ある程度の割合の汚水を含む濃縮水が排出口３３１から排出され、槽水面ＷＬ２は上昇する。槽水面ＷＬ２がオーバーフロー口４３に達した後は、砂混入水の上澄み液がオーバーフロー口４３から０．３ｍ３／ｍｉｎ程度流出する。また、揚砂ポンプ２が駆動する前に、沈殿池に貯留されている汚水や水道水を外側槽４に流入させ、外側槽４を液体で満たしておいてもよい。外側槽４を液体で満たすと、内部空間Ｓ１にも外側槽４と同じ高さの液体が充填される。このため、槽水面ＷＬ２が送出口６１１の高さ以上になるように液体を貯留しておけば、揚砂ポンプ２（図１参照）の駆動とほぼ同時に送出口６１１から分離水を送出することができる。従って、揚砂ポンプ２の２回目以降の駆動時には、外側槽４に貯留されている液体を抜き取らない限り、揚砂ポンプ２の駆動とほぼ同時に送出口６１１から分離水を送出することができる。
【００４１】
この実施形態によれば、外側槽４に貯留された液体によって排出口３３１が塞がれるので、外側槽４の槽内に貯留された液体の水圧が排出口３３１に生じる。この水圧により、排出口３３１から濃縮水が排出されにくくなるので、送出口６１１から送出される分離水の量を増加させることができる。すなわち、排出口３３１から排出される濃縮水に対して、送出口６１１から送出される分離水の比率が高まるので、内側容器３における分離効率が高まる。また、外側槽４に排出される濃縮水が少ないので、外側槽４を小型化できる。さらに、絞り部３２における絞り量（断面積の減少量）を少なくしても、排出口３３１から排出される濃縮水の量を抑制することができる。絞り部３２における絞り量を少なくすることで、内側容器３における圧力損失を低減できるので、揚砂ポンプ２の動力を小さくすることができる。またさらに、排出口３３１から排出される濃縮液が飛び散ることがなく、濃縮液に含まれている砂が短時間で外側槽４の底に沈降しやすい。加えて、サイフォンの原理により送出口６１１から沈砂池９に流れ出ようとする作用が分離水に生じるので、揚砂ポンプ２の動力をさらに小さくすることができる。また、外側槽４に搬出装置５が接続され、外側槽４と内側容器３とが高さ方向において重複した位置に配置されているので、固液分離システム１全体の高さを低くできる。そして、内側容器３を地上に近い位置に配置できるので、揚砂ポンプ２に必要な揚程が低くなり、よりさらに小さな動力で固体混入水を内側容器３に移送することができる。
【００４２】
また、この実施形態では、外側槽４の側壁４１は、内部空間Ｓ１の上端よりも上方に延びているので、外側槽４の槽内に内部空間Ｓ１の上端より上方まで液体を貯留することができる。内部空間Ｓ１の上端まで液体を貯留することで、排出口３３１に加わる水圧が高まり、内部空間Ｓ１にある砂混入液における液体成分が、重力によって排出口３３１から流出しようとする力を打ち消すことができる。これにより、排出口３３１から排出される液体成分の量がより抑制され、濃縮水における砂の濃度をさらに高めることができる。また、排出口３３１から外側槽４に排出される濃縮水の量が減るので、外側槽４の大きさを小さくすることができる。さらに、前記絞り部３２の減少量を少なくして圧力損失をより減少させることもできる。また、外側槽４の側壁４１の高さを送出管６の管上端６ｃよりも上方にしているので、絞り部３２の絞り量を極端に減らしたとしても、槽水面ＷＬ２が管上端６ｃに達すれば、送出管６内が分離水で満たされるのでサイフォンの原理による効果を得ることができる。
【００４３】
続いて、本実施形態の変形例について説明する。以下の説明では、これまで説明した構成要素の名称と同じ構成要素の名称には、これまで用いた符号と同じ符号を付すことがあり、重複する説明は省略することがある。
【００４４】
図４（ａ）は、固液分離システムの変形例を示す、図３（ｂ）と同様の正面図であり、図４（ｂ）は、同図（ａ）におけるＣ−Ｃ断面図である。
【００４５】
図４（ａ）に示すように、この変形例の固液分離システム１は、揚砂管２１に微細気泡水供給管８が接続されている点および外側槽４の高さが低い点が、図１乃至３に示した固液分離システム１と異なる。この変形例では、不図示のナノバブル水発生装置によって発生させたナノバブル水が、微細気泡水供給管８を通して揚砂管２１に供給される。ただし、ナノバブル水の代わりにマイクロイバブル水を揚砂管２１に供給してもよく、ナノバブル水とマイクロバブル水とを混合したマイクロナノバブル水を揚砂管２１に供給しても良い。この微細気泡水供給管８は、微細気泡供給手段の一例に相当する。ナノバブル水は、粒径がナノメートルオーダーの空気の気泡を含む水を意味する。また、マイクロバブル水は、マイクロメートルオーダーの空気の気泡を含む水を意味する。なお、ナノバブル水として、ナノメートルオーダーの酸素の気泡を含む水を用いてもよい。同様にマイクロバブル水として、マイクロメートルオーダーの酸素の気泡を含む水を用いても良い。また、微細気泡水供給管８を内側容器３に直接接続してもよい。すなわち、微細気泡水供給管８は、揚砂ポンプ２（図１参照）と排出口３３１の間に接続されていればよい。ナノバブル水およびマイクロバブル水は、洗浄効果を有しているので、砂混入水に加えることで砂混入水に含まれる砂および液体成分を洗浄することができる。揚砂ポンプ２（図１参照）と排出口３３１の間で、ナノバブル水またはマイクロバブル水を砂混入水に加えることで、内側容器３の内部空間Ｓ１（図２参照）において砂混入水を高い洗浄効果で洗浄することができる。すなわち、内部空間Ｓ１に発生した旋回流によって内部空間Ｓ１内においてナノバブルおよびマイクロバブルが砂混入水と混ざり合うので、高い洗浄効果を発揮させることができる。
【００４６】
外側槽４の側壁４１は、内側容器３の上端よりも上方で、送出管６の管上端６ｃよりも下方になる高さまで延在している。先の実施形態のように、外側槽４の側壁４１を高くすれば、外側槽４の槽水面ＷＬ２を送出管６の管上端６ｃよりも高くすることも可能になる。そして、上述したように、排出口３３１に加わる水圧は槽水面ＷＬ２の高さに応じて高まるので槽水面ＷＬ２が高くなることは濃縮水における砂の濃度をさらに高めることや圧力損失を減少させる意味では好ましい。しかし、外側槽４の側壁４１を高くしすぎると、固液分離システム１全体の高さも高くなり、外側槽４の製造費用も高価になってしまうので、この意味では外側槽４の側壁４１の高さは低い方が好ましい。側壁４１は、排出口３３１よりも上方に延びていれば、外側槽４の槽内に貯留された液体で排出口３３１を閉塞できるが、この変形例では、固液分離システム１全体の高さと排出口３３１に加わる水圧のバランスを重視した高さにしている。なお、オーバーフロー口４３は、側壁４１の高さに応じて適宜配置位置を設定すればよいが、この変形例では、流入口３４１（図２（ｂ）参照）と同等の高さにしている。また、以上説明した変形例のうちの一部の構成のみを先の実施形態に適用してもよい。
【００４７】
本発明は上述の実施形態に限られることなく特許請求の範囲に記載した範囲で種々の変形を行うことが出来る。たとえば、本実施形態では、固液分離システム１を沈砂池９に設置した例で説明したが、固液分離システム１は、沈殿池に設けてもよく、ダム湖等の貯水池に設けてもよい。また、工場等で生じた工場排水から水と金属粉等を分離する固液分離システム１として使用してもよい。また、内側容器３にいわゆる流体サイクロン装置を用いたが、排出口３３１と流入口３４１の間に絞り部３２有し、流入した砂混入水から液体成分を送出可能な構成を有していれば単なる容器であってもよい。また、絞り部３２は、内部空間Ｓ１の断面積が排出口３３１に向かって段階的に減少したものであってもよい。すなわち、絞り部３２は、内部空間Ｓ１の断面積が流入口３４１側よりも排出口３３１側の方が小さいものであればよい。
【００４８】
以上説明した実施形態や変形例によれば、小さな動力で駆動可能な固液分離システムを提供することができる。
【符号の説明】
【００４９】
１    固液分離システム
２    揚砂ポンプ
３    内側容器
３ａ    内周面
３ｂ    外周側面
４    外側槽
３２    絞り部
４１    側壁
３３１    排出口
３４１    流入口
Ｓ１    内部空間
【図１】
2020203229.tif 000003
【図２】
2020203229.tif 000004
【図３】
2020203229.tif 000005
【図４】
2020203229.tif 000006